(57)【特許請求の範囲】
【請求項１】
横方向に長い複数の矩形のパネル部材を壁面に沿って上下に並設してなる内装パネルであって、各パネル部材の上下の端縁部における壁面側に、上下のパネル部材間で互いに嵌合可能な実接合凹部と実接合凸部とが設けられ、同前面側に、上記凹部と凸部との嵌合時に上下のパネル部材の接合部に沿って横方向に長い棚部材取付用溝を協働して形成する溝形成部が設けられ、該溝形成部で形成される上記棚部材取付用溝は、パネル部材の前面側に開口する開口部と、該開口部から連続して該開口部よりパネル部材の奥方で上方に向う上方延長部とを有すると共に、上記棚部材取付用溝の開口部の幅寸法は、該棚部材取付用溝の奥行き寸法よりも小さく設定されていることを特徴とする内装パネル。
【請求項２】
上方延長部は、開口部からパネル部材の奥方に向かって円弧状をなして上方に向かう形状とされていることを特徴とする請求項１に記載の内装パネル。
【請求項３】
実接合凹部を構成する一対の突出部のうち壁面側の突出部は、止着部材を用いてパネル部材を壁面に固定するための固定部とされていることを特徴とする請求項１又は２に記載の内装パネル。
【請求項４】
実接合凹部、実接合凸部及び溝形成部が設けられたパネル部材の上下の端縁部は、樹脂の含浸又はパネル成形時における成形圧力の増大により硬度が高められていることを特徴とする請求項１から３のいずれかに記載の内装パネル。
【発明の詳細な説明】
【０００１】
【発明の属する技術分野】
本発明は、腰壁等の内装パネルに関し、居住空間のインテリア造作物の技術分野に属する。
【０００２】
【従来の技術】
従来、壁面の保護及び装飾機能を有する腰壁として、例えば特開２００１−２４１１６８号公報や特開２００１−３１１２３８号公報に開示されるように、腰壁を構成する複数の矩形のパネル部材を壁面に沿って並設し、腰壁を任意の範囲だけ施工可能としたものがある。その場合に、前者公報では、各パネル部材を接着剤やビス等の止着部材を用いて壁面に直接組み付けている。また、後者公報では、先に額縁部材を壁面に敷設しておき、該額縁部材に各パネル部材を順に嵌め込んでいって、実接合している。
【０００３】
ところで、近年、自分らしさを居住空間に演出するため、例えばポプリやアロマテラピー用具、あるいはお気に入りのヒーリンググッズや風景写真等を部屋に飾ることが流行しており、それらを載置するための棚部材がしばしば上記腰壁に取り付けられる。しかし、棚部材を直接腰壁に打ち付けていたのでは、棚部材の交換や場所替えができず、それに伴う部屋の雰囲気の変化を楽しむことができない。そこで、上記パネル部材に溝を形成し、その溝に棚部材の一部を嵌め込んで、棚部材を腰壁に着脱自在に取り付けることが提案される。しかも、棚部材を溝に沿って移動させれば、その位置も容易に変化させることができる。
【０００４】
【発明が解決しようとする課題】
しかし、上記のような棚部材取付用溝をパネル部材に形成すると、該溝が前面から目立ってどうしてもパネル部材の美観を損ねてしまう。また、該溝を例えば金属製や合成樹脂製のレール部材等で構成すると、自然の柔らかな風合いの木質のパネル部材等とは調和せず、腰壁全体の見栄えが低下して、部屋の雰囲気を壊してしまう。のみならず、そのような溝を構成するためのレール部材を別に作製する分、腰壁の部品点数が増え、材料コスト・製造コストが上昇する。
【０００５】
そこで、本発明は、腰壁等の内装パネルにおいて、パネル部材と異質のレール部材等を用いずに、棚部材取付用溝を目立つことなく形成し、もって内装パネルの美観ないし意匠性を損なわず、インテリアの雰囲気づくりに貢献することを主たる課題とする。また、その場合に、溝と棚部材との間のガタツキを極力なくすことも課題とする。
【０００６】
【課題を解決するための手段】
上記課題を解決するため、特許請求の範囲の請求項１に記載の発明は、横方向に長い複数の矩形のパネル部材を壁面に沿って上下に並設してなる内装パネルであって、各パネル部材の上下の端縁部における壁面側に、上下のパネル部材間で互いに嵌合可能な実接合凹部と実接合凸部とが設けられ、同前面側に、上記凹部と凸部との嵌合時に上下のパネル部材の接合部に沿って横方向に長い棚部材取付用溝を協働して形成する溝形成部が設けられ、該溝形成部で形成される上記棚部材取付用溝は、パネル部材の前面側に開口する開口部と、該開口部から連続して該開口部よりパネル部材の奥方で上方に向う上方延長部とを有すると共に、上記棚部材取付用溝の開口部の幅寸法は、該棚部材取付用溝の奥行き寸法よりも小さく設定されていることを特徴とする。
【０００７】
この発明によれば、各パネル部材の上下の端縁部に、実接合のための凹部と凸部とを設け、これを利用して上下に隣接するパネル部材同士を接合している。と同時に、同じく各パネル部材の上下の端縁部に、協働して棚部材取付用溝を形成する溝形成部を設け、上記のように上下に隣接するパネル部材同士が接合したときに、その接合部に沿って横に長く延びる棚部材取付用溝が出現するようにしている。よって、複数のパネル部材を上下に並設した内装パネルの完成時には、上記溝を使って棚部材を内装パネルに着脱自在且つ移動自在に取り付けることが可能となる。
【０００８】
そして、その場合に、溝を構成するために、パネル部材と別体のレール部材等を用いることがないから、内装パネルの美観や意匠性を損なわず、インテリアの雰囲気を低下させることがない。また、部品点数の増加を伴わず、材料コスト・製造コストの上昇も抑制できる。加えて、隣接するパネル部材同士の継ぎ目である接合部に重ねて溝を形成するから、該溝が目立たず、この点からも個々のパネル部材の見栄えや美観、ひいてはインテリアの雰囲気を減じることがない。
【０００９】
本発明の特徴の１つは、棚部材取付用溝が、パネル部材同士を接合したときのみ出現し、パネル部材同士をばらしたときは自然消滅することである。しかも、そのような溝を形成する溝形成部は、実接合のための凹部や凸部を形成した各パネル部材の上下の端縁部に併せて形成しているから、これらをまとめて同時に加工することができ、パネル部材ひいては内装パネルの製造コストを低く抑えることができる。
【００１０】
この発明によれば、棚部材の溝に対するガタツキを可及的に少なくすることができる。すなわち、棚部材を溝に嵌め込んだ状態では、パネル部材の外部においては、棚本体の自重により棚部材に下向きの荷重が作用する。その結果、棚部材には、パネル部材の前面を境として、パネル部材の外部では下向きの、内部では上向きの回転モーメントが働く。その際に、溝の上方延長部の上側ないし前面側の壁部が上向きの回転モーメントの受け部になるから、棚部材がガタつかず、しっかりと装着される。また、溝の上方延長部がひっかかることによって、棚部材が容易に手前へ溝から離脱することも防がれる。
【００１１】
次に、請求項２に記載の発明は、上記請求項１に記載の発明において、上方延長部は、開口部からパネル部材の奥方に向かって円弧状をなして上方に向かう形状とされていることを特徴とする。この発明によれば、棚部材は、パネル部材の前面側で円弧に沿って溝に嵌め込まれ、装着される。
【００１２】
次に、請求項３に記載の発明は、上記請求項１又は２に記載の発明において、実接合凹部を構成する一対の突出部のうち壁面側の突出部は、止着部材を用いてパネル部材を壁面に固定するための固定部とされていることを特徴とする。
【００１３】
この発明によれば、実接合凹部を構成する一対の突出部のうちの壁面側の突出部を利用してパネル部材を壁面に固定することができるから、わざわざパネル部材を壁面に固定するための専用の固定部を別途パネル部材に形成する必要がなくなる。
【００１４】
次に、請求項４に記載の発明は、上記請求項１から３のいずれかに記載の発明において、実接合凹部、実接合凸部及び溝形成部が設けられたパネル部材の上下の端縁部は、樹脂の含浸又はパネル成形時における成形圧力の増大により硬度が高められていることを特徴とする。
【００１５】
この発明によれば、各パネル部材の上下の端縁部の硬度が高められているから、凹部と凸部とを利用した実接合が強固となり、また棚部材取付用溝による棚部材の装着・支持がしっかりとする。以下、発明の実施の形態を通して本発明をさらに詳しく説明する。
【００１６】
【発明の実施の形態】
図１は、本実施の形態に係る内装パネルとしての腰壁１を室内の壁面に施工した状態を示す正面図である。この腰壁１は、全体的に、柔らかな風合い・質感を醸し出す木質調で、部屋の雰囲気づくりやイメージづくりに寄与する。この腰壁１は、主たる構成要素として、横方向に延びる上下一対の額縁２，３と、縦方向に延びる左右一対の額縁４，５と、横方向に延びる複数（図例では１０枚）の矩形のパネル部材６Ｕ，６…６，６Ｌとを有する。ここで、最上段のパネル部材６Ｕ及び最下段のパネル部材６Ｌは、他の中段部のパネル部材６…６と一部構成が相違するため、異なる符号を付してあるが、特に区別する必要がないときは、一括して他と同じ符号６を用いる。
【００１７】
パネル部材６…６は、上下左右の額縁２〜５が組み合わされてなる長方形状の空間内に上下に並んで配設されている。隣接するパネル部材６，６間の接合部に沿って横方向に長い棚部材取付用溝Ｍが形成され、任意の溝Ｍの任意の位置に棚部材Ｔが取り付けられている。棚部材Ｔ…Ｔにはお気に入りのグッズＸ…Ｘが並べられ、部屋の個性が演出されている。
【００１８】
図２は、図１のア−ア線に沿う拡大縦端面図である。ただし、繰り返しを避けるため、上額縁２周辺と、パネル部材６，６同士の接合部周辺と、下額縁３周辺とを選択して示してある。同図に示すように、上下額縁２，３は、横に長い略直方体形状の長尺物で、上額縁２は下面に、下額縁３は上面に、それぞれ長手方向に延びるほぞ２ａ，３ａが立設されている。各額縁２，３は、接着剤や釘あるいはビス等、現場の状況に応じた適宜止着部材で壁面に固定されている。特に、この実施の形態では、ビス５２…５２，５３…５３が用いられている（以下同様）。
【００１９】
パネル部材６…６は、横に長い偏平形状の長尺物で、最上段のパネル部材６Ｕの上面及び最下段のパネル部材６Ｌの下面に、それぞれ長手方向に延びるほぞ溝６Ｕａ，６Ｌａが形成され、上額縁２のほぞ２ａ及び下額縁３のほぞ３ａと嵌合している。各パネル部材６の上端縁部には、実接合凹部６Ａと、棚部材取付用溝Ｍの下側ないし奥方側壁部を提供する第１の溝形成部６Ｂとが設けられ、下端縁部には、実接合凸部６Ｃと、棚部材取付用溝Ｍの上側ないし前面側壁部を提供する第２の溝形成部６Ｄとが設けられている。なお、最上段のパネル部材６Ｕにおいては、その下面に実接合凸部６Ｃ及び第２の溝形成部６Ｄが設けられ、最下段のパネル部材６Ｌにおいては、その上面に実接合凹部６Ａ及び第１の溝形成部６Ｂが設けられている。上下額縁２，３及びパネル部材６…６は相互に同じ長さに作製されている。
【００２０】
より詳しくは、図３に示すように、パネル部材６は、この腰壁１の外観を提供する前面６１と、壁面に対向する背面６２と、実接合凹部６Ａ及び第１溝形成部６Ｂが形成された上端縁部６３と、実接合凸部６Ｃ及び第２溝形成部６Ｄが形成された下端縁部６４とを有する。実接合凹部６Ａ及び凸部６Ｃはパネル部材６の背面６２寄りに設けられ、１対の溝形成部６Ｂ及び６Ｄはパネル部材６の前面６１寄りに設けられている。
【００２１】
実接合凹部６Ａは、パネル部材６の背面６２に連続して上端縁部６３から突出する大突出部６ｂと、パネル部材６の厚み方向の略中央部において上端縁部６３から突出する小突出部６ｃとを含み、これらの突出部６ｂ，６ｃ間に、実接合を行うための陥没部６ａが形成されている。一方、実接合凸部６Ｃは、パネル部材６の背面６２において下端縁部６４から切り欠かれた大切欠部６ｅと、パネル部材６の厚み方向の略中央部において下端縁部６４から切り欠かれた小切欠部６ｆとを含み、これらの切欠部６ｅ，６ｆ間に、実接合を行うための突起部６ｄが形成されている。そして、図２に示すように、実接合凹部６Ａの大突出部６ｂ、陥没部６ａ及び小突出部６ｃと、実接合凸部６Ｃの大切欠部６ｅ、突起部６ｄ及び小切欠部６ｆとがそれぞれ嵌合し合って、全体として、実接合凹部６Ａと実接合凸部６Ｃとによる実接合が実現している。
【００２２】
また、図３に示すように、第１溝形成部６Ｂは、実接合凹部６Ａの小突出部６ｃの頂面からパネル部材６の前面６１に至る凹曲面を有し、第２溝形成部６Ｄは、実接合凸部６Ｃの小切欠部６ｆの底面からパネル部材６の前面６１に至る凸曲面を有する。そして、図２に示すように、上記実接合凹部６Ａと凸部６Ｃとの嵌合時には、両溝形成部６Ｂ，６Ｄの曲面同士が所定の間隔を空けて対向し合い、これにより上下のパネル部材６，６の接合部に沿って横に延びる棚部材取付用溝Ｍを協働して形成している。
【００２３】
その場合に、この実施の形態においては、両溝形成部６Ｂ，６Ｄの曲面は、いずれも略９０°の円弧面をなしている。その結果、図４にさらに拡大して示すように、棚部材取付用溝Ｍ自身が略９０°の円弧状をなし、パネル部材６の前面６１側に開口する開口部Ｋと、該開口部Ｋから連続して該開口部Ｋよりパネル部材６の奥方で上方に向う上方延長部Ｊとを有している。
【００２４】
また、図２に示すように、実接合凹部６Ａを構成する一対の突出部６ｂ，６ｃのうち、壁面側の突出部である大突出部６ｂは、ビス５６…５６を用いてパネル部材６を壁面に固定するための固定部として利用されている。
【００２５】
この実施の形態で使用しているパネル部材６は、図５に示すように、例えば木質繊維を押し固めて成形したパネル原体Ｆから切り出して作製したものである。その場合に、図４に斜線で示したように、実接合凹部６Ａ、実接合凸部６Ｃ及び溝形成部６Ｂ，６Ｄが設けられるパネル部材６の上下の端縁部６３，６４は、例えば樹脂の含浸により硬度が高められている。この樹脂の含浸作業は、パネル原体Ｆの段階で行ってもよいし、該パネル原体Ｆから切り出した後のパネル部材６に対して行ってもよい。
【００２６】
また、樹脂の含浸に代えて、あるいはそれと共に、上記パネル原体Ｆの成形時における成形圧力をパネル部材６の上下端縁部６３，６４において大きくすることにより、上下端縁部６３，６４の硬度を高めることもできる。さらに、図５に符号Ｆａ，Ｆｂで示すように、パネル原体Ｆの前面側の層及び背面側の層を比重の高い硬質層としてもよい。そして、中段部のパネル部材６…６だけでなく、実接合凸部６Ｃ及び第２溝形成部６Ｄが設けられる最上段のパネル部材６Ｕの下面、及び実接合凹部６Ａ及び第１溝形成部６Ｂが設けられる最下段のパネル部材６Ｌの上面もまた同様にして硬度を高めてもよい。
【００２７】
図６は、この腰壁１の拡大平面図である。ただし、中間部を省略し、左額縁４周辺と、右額縁５周辺とを選択して示してある。同図に示すように、左右額縁４，５は、それぞれ基部材４ａ，５ａとカバー部材４ｂ，５ｂとを含む分割式構造である。基部材４ａ，５ａは、縦に長い略直方体形状の長尺物で、それぞれビス５４ａ…５４ａ，５５ａ…５５ａで壁面に固定されている。カバー部材４ｂ，５ｂは、縦に長い断面Ｌ字状の長尺物で、基部材４ａ，５ａに対して前面側で着脱自在である。特に、この実施の形態では、相互に嵌り合うオス・メス一対の嵌合部材８ａ，８ｂの嵌合又は離脱によって、カバー部材４ｂ，５ｂは基部材４ａ，５ａに対して装着又は離脱される。
【００２８】
嵌合部材８ａ，８ｂは、いずれも縦に長い断面略コ字状の長尺物で、オスの嵌合部材８ａは、基部材４ａ，５ａの前面にビス５４ａ…５４ａ，５５ａ…５５ａで共締めされ、メスの嵌合部材８ｂは、カバー部材４ｂ，５ｂの背面にビス５４ｂ…５４ｂ，５５ｂ…５５ｂで固定されている。基部材４ａ，５ａ、カバー部材４ｂ，５ｂ及び嵌合部材８ａ，８ｂは相互に略同じ長さに作製されている。
【００２９】
左右の基部材４ａ，５ａの側面に、各パネル部材６…６の左右の両端面がそれぞれ当接し、位置合わせされている。そして、その状態で、矢印ｃで示すように、嵌合部材８ａ，８ｂ同士が嵌り合い、カバー部材４ｂ，５ｂが基部材４ａ，５ａの前面側に装着されている。このとき、基部材４ａ，５ａはカバー部材４ｂ，５ｂで隠蔽され、外部から見えなくなる。また、相互に嵌り合った嵌合部材８ａ，８ｂ間に、上下方向に延びる空間Ｓが形成される。この空間Ｓは、例えば電気配線Ｃの収容等に利用することができる。
【００３０】
この腰壁１は、およそ次のようにして施工される。まず、図１に示すように、下額縁３を所定の施工位置において床の上に置き、下面を床に密着させ、背面を壁面に密着させた状態で、ビス５３…５３により壁面に固定する。次に、左右いずれかの縦額縁の基部材４ａ又は５ａを壁面に固定する。
【００３１】
次に、下額縁３の上にパネル部材６Ｌ，６…６，６Ｕを順に積み上げていく。その場合、図７に矢印ａで示すように、各パネル部材６の上下端縁部６３，６４の実接合凹部６Ａと凸部６Ｃとを用いてパネル部材６，６同士を接合していく。１つのパネル部材６を接合したら、上端縁部６３の固定部６ｂにビス５６…５６を貫通して該パネル部材６を壁面に固定する。ただし、この実施の形態では、図６に示すように、最終的に左右額縁４，５のカバー部材４ｂ，５ｂがパネル部材６…６の左右両端部を壁面側に押え付け、これによりパネル部材６…６の脱落が防止されるので、パネル部材６…６の壁面への固定を省略することもできる。
【００３２】
全てのパネル部材６Ｌ，６…６，６Ｕのセットが完了すれば、残りの縦額縁の基部材を壁面に固定し、さらに上額縁２を壁面に固定した後、左右額縁４，５のカバー部材４ｂ，５ｂを各基部材４ａ，５ａに装着する。以上により、腰壁１の施工が完成する。このとき、図７に示すように、上下に隣接するパネル部材６，６間の接合部に棚部材Ｔの取付用溝Ｍが形成されているので、該溝Ｍに棚部材Ｔを取り付けることが可能となる。この実施の形態では、棚部材Ｔは、棚本体Ｔａと、上記溝Ｍと対応して略９０°の円弧状をなす嵌込部Ｔｂと、棚本体Ｔａを下方から支える鎹部Ｔｃとを有する。そして、矢印ｂで示すように、嵌込部Ｔｂをパネル部材６の前面側で上方から円弧に沿って溝Ｍに嵌め込み、鎹部Ｔｃをパネル部材６の前面６１に当接させて、棚部材Ｔを腰壁１に装着する。
【００３３】
次に、この腰壁１の特徴を説明する。まず、各パネル部材６の上下の端縁部６３，６４に、実接合のための凹部６Ａと凸部６Ｃとを設け、これを利用して上下に隣接するパネル部材６，６同士を接合すると共に、同じく各パネル部材６の上下の端縁部６３，６４に、互いに協働して棚部材取付用溝Ｍを形成する一対の溝形成部６Ｂ，６Ｄを設けて、上下に隣接するパネル部材６，６同士を接合したときに、その接合部に沿って横に長く延びる棚部材取付用溝Ｍが出現するようにしたから、複数のパネル部材６…６を上下に並設したこの腰壁１の完成時には、上記溝Ｍを使って棚部材Ｔをこの腰壁１に着脱自在且つ横方向に移動自在に取り付けることが可能となる。
【００３４】
その場合に、溝Ｍを構成するために、パネル部材６と別体の、例えば金属製や合成樹脂製のレール部材等を用いないから、個々のパネル部材６及び腰壁１の美観や意匠性、ひいては部屋の雰囲気づくりを損ねることがない。また、溝Ｍを構成したがために部品点数が増加するということもなく、この腰壁１の材料コスト・製造コストの上昇も抑制できる。加えて、隣接するパネル部材６，６同士の継ぎ目である接合部にオーバーラップさせて溝Ｍを形成するようにしたから、該溝Ｍが前面側で目立つことがなく、これによっても、個々のパネル部材６及び腰壁１の見栄えや美観を低下させず、部屋の雰囲気づくりを減じることがない。すなわち、この腰壁１にあっては、棚部材取付用溝Ｍは、パネル部材６，６同士を接合したときにのみ出現し、パネル部材６，６同士を離したときには自然と消滅するようになっている。
【００３５】
しかも、棚部材取付用溝Ｍを協働して形成する溝形成部６Ｂ，６Ｄを、実接合のための凹部６Ａや凸部６Ｃを形成した各パネル部材６の上下の端縁部６３，６４に併せて連続形成したから、これら６Ａ，６Ｂ，６Ｃ，６Ｄをまとめて同時に加工することができ、パネル部材６ひいてはこの腰壁１の製造コストを低く抑えることができる。
【００３６】
一方、図４に示すように、棚部材Ｔを溝Ｍに嵌め込んだ状態では、パネル部材６の外部においては、棚本体Ｔａの自重により、棚部材Ｔに下向きの荷重が作用する（矢印ｇ）。その結果、棚部材Ｔには、パネル部材６の前面６１、あるいは溝Ｍの開口部Ｋを境として、パネル部材６の外部においては下向きの、内部では上向きの回転モーメントが作用する。その際、溝Ｍの上方延長部Ｊの上側ないし前面側の壁部（換言すれば、溝Ｍの上側ないし前面側壁部を提供する第２溝形成部６Ｄ）が上向きの回転モーメント（矢印ｕ）の受け部になるから、棚部材Ｔが溝Ｍの中でガタつかず、この腰壁１にしっかりと装着される。
【００３７】
また、棚部材Ｔをパネル部材６の前面６１側（手前側）に水平に引いただけでは、棚部材Ｔの嵌込部Ｔｂと溝Ｍの上方延長部Ｊとがひっかかるから棚部材Ｔを溝Ｍから抜き出すことができず、棚部材Ｔが容易に腰壁１から離脱することが防がれる。もちろん、棚部材Ｔを重力方向に下方（矢印ｇ）に押圧しても抜き出すことはできない。
【００３８】
そして、パネル部材６を壁面に固定する場合、実接合凹部６Ａの構成のために生じる壁面側の突出部６ｂを利用して該パネル部材６を壁面に固定するから、わざわざそれ専用の固定部を別途パネル部材６に形成する必要がない。
【００３９】
さらに、各パネル部材６の上下の端縁部６３，６４の硬度を高めているから、凹部６Ａと凸部６Ｃとを利用した実接合が強固となり、また棚部材取付用溝Ｍによる棚部材Ｔの装着・支持がしっかりとする。
【００４０】
なお、溝Ｍには、棚部材Ｔだけでなく、例えば、カウンタ、壁掛け、フック、小物入れ、状差し等、その他のインテリア小物、内装パネル（腰壁）付属物、アタッチメントの類を装着するようにしてもよい。すなわち、溝Ｍを、一般に、付属部材取付用溝として利用することもできる。
【００４１】
また、本発明の趣旨を逸脱しない範囲で以上の実施の形態を種々変更することが可能である。例えば、図８に示すように、上下の溝形成部６Ｂ，６Ｄは、あえて棚部材Ｔの嵌込部Ｔｂと全面的に密着しなくてもよい。少なくとも上側の溝形成部６Ｄの一部が棚部材Ｔの嵌込部Ｔｂと接触していれば、それで上記の棚部材Ｔの回転荷重ｕを受けることができ、棚部材Ｔのガタツキを抑えることができる。しかも、図示した例では、溝形成部６Ｂ，６Ｄ及び嵌込部Ｔｂの形状を曲面にする必要がないから、パネル部材６及び棚部材Ｔの切り出し加工等が一層簡単になるという利点がある。また、実接合のための凹部６Ａをパネル部材６の上端縁部６３に、凸部６Ｃを下端縁部６４に設けることは、単なる１例であって、逆であっても構わない。
【００４２】
【発明の効果】
以上説明したように、本発明によれば、個々のパネル部材ないし内装パネル全体の美観や意匠性を損なわずに、棚部材を着脱自在且つ移動自在に取り付けることのできる棚部材取付用溝を内装パネルに形成することができるから、部屋や室内の雰囲気づくり、イメージづくりに大きく貢献する。本発明は、腰壁を始めとする壁保護機能・壁装飾機能を有する内装パネル一般に広く好ましく適用可能である。
【図面の簡単な説明】
【図１】  本発明の実施の形態に係る内装パネルの正面図である。
【図２】  図１のア−ア線に沿う上記内装パネルの拡大縦端面図であって、上額縁周辺、棚部材取付用溝周辺、及び下額縁周辺を示すものである。
【図３】  上記内装パネルに用いられるパネル部材の詳細構造を示す左拡大側面図である。
【図４】  上記棚部材取付用溝周辺をさらに拡大して示す部分図である。
【図５】  上記パネル部材の前駆体であるパネル原体の概略斜視図である。
【図６】  上記内装パネルの拡大平面図であって、左額縁周辺及び右額縁周辺を示すものである。
【図７】  上記内装パネルの施工時の状態及び棚部材の取付の状態を示す左側面図である。
【図８】  別の実施の形態に係る内装パネルにおける棚部材の取付の状態を示す図７と類似の左側面図である。
【符号の説明】
１          内装パネル（腰壁）
６          パネル部材
６Ａ        実接合凹部
６Ｂ，６Ｄ  溝形成部
６Ｃ        実接合凸部
６３        上端縁部
６４        下端縁部
Ｍ          棚部材取付用溝
Ｔ          棚部材
【図１】
0003973468.tif 000002
【図２】
0003973468.tif 000003
【図３】
0003973468.tif 000004
【図４】
0003973468.tif 000005
【図５】
0003973468.tif 000006
【図６】
0003973468.tif 000007
【図７】
0003973468.tif 000008
【図８】
0003973468.tif 000009